(57)【要約】【課題】浄化能力を高めた紫外光用の発光モジュールを提供する。【解決手段】発光モジュール１０は、上面２２に開口する凹部２４が設けられる基板２０と、凹部２４に収容され、開口の外へ向けて紫外光を発する発光素子１２と、開口を覆うように上面２２に設けられ、上面２２と対向する内面３２と、内面３２と反対側の外面３４とを有し、外面３４の一部に光触媒３６が設けられる窓部材３０と、上面２２と窓部材３０の間を埋める封止部４０と、を備える。発光素子１２は、波長３００ｎｍ以下の深紫外光を発してもよい。窓部材３０は、発光素子１２が発する紫外光の透過率が８０％以上の材料で構成されてもよい。【選択図】図１
2016213213.tif 000002
【特許請求の範囲】
【請求項１】
上面に開口する凹部が設けられる基板と、
前記凹部に収容され、開口の外へ向けて紫外光を発する発光素子と、
前記開口を覆うように前記上面に設けられ、前記上面と対向する内面と、前記内面と反対側の外面とを有し、前記外面の一部に光触媒が設けられる窓部材と、
前記上面と前記窓部材の間を埋める封止部と、を備えることを特徴とする発光モジュール。
【請求項２】
前記発光素子は、波長３００ｎｍ以下の深紫外光を発することを特徴とする請求項１に記載の発光モジュール。
【請求項３】
前記窓部材は、前記発光素子が発する紫外光の透過率が８０％以上の材料で構成されることを特徴とする請求項１または２に記載の発光モジュール。
【発明の詳細な説明】
【技術分野】
【０００１】
本発明は、発光素子を有する発光モジュールに関し、特に、紫外光を発する発光モジュールに関する。
【背景技術】
【０００２】
近年、青色光を出力する発光ダイオードやレーザダイオード等の半導体発光素子が実用化されており、さらに波長の短い深紫外光を出力する発光素子の開発が進められている。特に、深紫外光は高い殺菌能力を有することから、医療や食品加工の現場における水銀フリーの殺菌用光源として、深紫外光を発する半導体発光素子が注目されている。
【０００３】
このような紫外用の発光素子は、外部環境から素子を保護するために、紫外光を透過する材料を用いて封止され、モジュール化される。このような紫外線発光装置として、例えば、紫外ＬＥＤチップを囲むように枠体が設けられ、枠体とＬＥＤチップとを覆うように窓材が設けられた装置が挙げられる（例えば、特許文献１参照）。
【先行技術文献】
【特許文献】
【０００４】
【特許文献１】特開２０１４−１４６６８９号公報
【発明の概要】
【発明が解決しようとする課題】
【０００５】
紫外用の発光素子は、殺菌処理の他に有害な化学物質の分解除去など、幅広い種類の浄化処理に用いられる。このような用途に用いる発光素子は、より高い浄化能力を提供できることが望ましい。
【０００６】
本発明はこうした課題に鑑みてなされたものであり、その例示的な目的のひとつは、浄化能力を高めた紫外用の発光モジュールを提供することにある。
【課題を解決するための手段】
【０００７】
本発明のある態様の発光モジュールは、上面に開口する凹部が設けられる基板と、凹部に収容され、開口の外へ向けて紫外光を発する発光素子と、開口を覆うように上面に設けられ、上面と対向する内面と、内面と反対側の外面とを有し、外面の一部に光触媒が設けられる窓部材と、上面と窓部材の間を埋める封止部と、を備える。
【０００８】
この態様によると、窓部材の外面の一部に光触媒が設けられるため、発光素子からの紫外光によって光触媒を励起し、光触媒作用を用いて浄化することができる。また、光触媒は窓部材の外面の一部に設けられるため、光触媒のない開口部を通じて紫外光を直接照射して浄化することもできる。本態様によれば、光触媒と紫外光の直接照射の双方により浄化することができるため、いずれか一方を用いる場合と比べて浄化能力を高めることができる。
【０００９】
発光素子は、波長３００ｎｍ以下の深紫外光を発してもよい。
【００１０】
窓部材は、発光素子が発する紫外光の透過率が８０％以上の材料で構成されてもよい。
【発明の効果】
【００１１】
本発明によれば、浄化能力を高めた紫外光用の発光モジュールを提供できる。
【図面の簡単な説明】
【００１２】
【図１】実施の形態に係る発光モジュールの構成を概略的に示す断面図である。
【図２】窓部材の構成例を概略的に示す上面図である。
【図３】窓部材の構成例を概略的に示す上面図である。
【図４】窓部材の構成例を概略的に示す上面図である。
【発明を実施するための形態】
【００１３】
以下、図面を参照しながら、本発明を実施するための形態について詳細に説明する。なお、説明において同一の要素には同一の符号を付し、重複する説明を適宜省略する。
【００１４】
図１は、実施の形態に係る発光モジュール１０の構成を概略的に示す断面図である。発光モジュール１０は、紫外光を発する発光素子１２を備え、窓部材３０の外面３４の一部に光触媒３６が設けられる。発光素子１２からの紫外光は、その一部が光触媒３６に照射され、別の一部が光触媒３６のない開口部３８を介して外部に放射される。したがって、発光モジュール１０によれば、紫外光の直接照射と光触媒作用の双方を利用して浄化処理をすることができる。
【００１５】
発光モジュール１０は、発光素子１２と、基板２０と、窓部材３０と、封止部４０を備える。
【００１６】
基板２０は、平板形状を有しており、上面２２に発光素子１２を収容するための凹部２４が設けられる。基板２０は、アルミナ（Ａｌ２Ｏ３）や窒化アルミニウム（ＡｌＮ）などのセラミック基板であり、例えば、高温焼成セラミック多層基板（ＨＴＣＣ；High Temperature Co-fired Ceramic）などである。
【００１７】
凹部２４には、発光素子１２を実装するための内部電極２６が設けられる。内部電極２６は、例えば、タングステン（Ｗ）やモリブデン（Ｍｏ）等の高融点の金属を含む基材に、ニッケル（Ｎｉ）や金（Ａｕ）等の保護層がメッキされて形成される。基板２０の底面には、外部電極２８が設けられる。外部電極２８は、内部電極２６と同様に形成される。内部電極２６と外部電極２８は、基板２０の内部で電気的に接続されている。
【００１８】
発光素子１２は、紫外光を発する発光ダイオード（ＬＥＤ、Light Emitting Diode）である。発光素子１２は、接続端子１４を有し、接続端子１４が内部電極２６と接続されるように凹部２４に収容される。なお、発光素子１２は、図示するように、基板２０に直接実装されてもよいし、サブマウントを介して基板２０に間接的に実装されてもよい。
【００１９】
発光素子１２は、窓部材３０を通じて発光モジュール１０の外部に紫外光を放射する。発光素子１２は、その中心波長またはピーク波長が３００ｎｍ以下の深紫外光を発するものが好ましく、特に、殺菌効率の高い波長である２６０ｎｍ付近の紫外光を発するものが望ましい。このような紫外光ＬＥＤとして、例えば、窒化アルミニウムガリウム（ＡｌＧａＮ）を用いたものが知られている。
【００２０】
窓部材３０は、内面３２と、外面３４を有し、内面３２が凹部２４の開口を覆うようにして上面２２に設けられる。窓部材３０と上面２２の間は、封止部４０によって埋められる。封止部４０は、熱硬化性の樹脂や、金錫（ＡｕＳｎ）や銀錫（ＡｇＳｎ）などの低融点の金属材料で構成される。封止部４０は、発光素子１２が発する紫外光によって劣化しにくい材料で構成されることが望ましい。
【００２１】
窓部材３０は、発光素子１２が発する紫外光を透過する材料で構成され、特に、発光素子１２が発する深紫外光を８０％以上透過する材料で構成されることが望ましい。このような窓部材３０の材料として、例えば、石英（ＳｉＯ２）やサファイア（Ａｌ２Ｏ３）、硼珪酸ガラス等を用いればよい。
【００２２】
窓部材３０の外面３４の一部には、光触媒３６が設けられる。光触媒３６は、例えば、酸化チタン（ＴｉＯ２）等であり、紫外光の照射により励起され、酸素ラジカルを発生させることにより浄化作用を発揮する。光触媒３６は、外面３４の全面を覆うように設けられず、光触媒３６の設けられない開口部３８が部分的に設けられる形成される。
【００２３】
図２〜図４は、窓部材３０の構成例を概略的に示す上面図である。窓部材３０は、図２〜図４のそれぞれに示されるように、メッシュ状、ライン状もしくはドット状に設けられる。例えば、光触媒３６は、図２に示すように、メッシュ状に設けられ、開口部３８は格子状に間隔を空けて配置される。別の構成例では、図３に示すように、光触媒３６がライン状に設けられ、開口部３８も光触媒３６と互い違いになるようにライン状に設けられる。さらに別の構成例では、図４に示されるように、光触媒３６が格子状に間隔を空けて配置され、開口部３８がメッシュ状に設けられる。なお、これらの配置は例示であり、各領域が円形状に設けられてもよいし、六方格子状に配置されてもよいし、各領域が不均一に配置されてもよい。
【００２４】
以上の構成により、発光素子１２が発する紫外光は、発光素子１２と対向する内面３２に入射する。内面３２に入射する紫外光の一部は、外面３４に設けられる光触媒３６に照射され、光触媒３６に吸収される。また、内面３２に入射する紫外光の別の一部は、光触媒３６のない開口部３８を通じて、外面３４から発光モジュール１０の外部へ出射される。
【００２５】
本実施の形態によれば、発光素子１２が発する紫外光は、その一部が光触媒３６に照射され、別の一部が光触媒３６のない開口部３８を介して外部に放射される。したがって、本実施の形態に係る発光モジュール１０によれば、紫外光の直接照射と光触媒作用の双方を利用して浄化処理をすることができる。これにより、紫外光を照射するのみの発光モジュールと比べて、浄化能力を高めることができる。
【００２６】
また本実施の形態によれば、紫外光を放射するための光源機能と、紫外光を受けて光触媒作用を発揮する光触媒機能の双方を一つの発光モジュールに一体化させることができる。したがって、光源と光触媒を別々に用意する場合と比べて、これらを用いる浄化装置の構成を簡略化することができる。
【００２７】
以上、本発明を実施例にもとづいて説明した。本発明は上記実施の形態に限定されず、種々の設計変更が可能であり、様々な変形例が可能であること、またそうした変形例も本発明の範囲にあることは、当業者に理解されるところである。
【００２８】
上述の実施の形態では、発光素子１２がＬＥＤである場合を示した。変形例においては、発光素子１２が紫外光を発するレーザダイオード（ＬＤ）であってもよい。
【符号の説明】
【００２９】
１０…発光モジュール、１２…発光素子、２０…基板、２２…上面、２４…凹部、３０…窓部材、３２…内面、３４…外面、３６…光触媒、４０…封止部。
【図１】
2016213213.tif 000003
【図２】
2016213213.tif 000004
【図３】
2016213213.tif 000005
【図４】
2016213213.tif 000006